(57)【特許請求の範囲】
【請求項１】
遊技機本体に底ケースと蓋ケースとからなる基板ボックスが取り付けられ、この基板ボックス内に制御基板が収納された遊技機において、
上記基板ボックスの底ケース及び蓋ケースの少なくとも一方には、基板ボックスを遊技機本体に分離不能に固定するための固定部と、この固定部を他の部位から切断し易くするための脆弱部とが設けられており、
上記固定部は、締結部材により遊技機本体に固定されるとともに、脆弱部で他の部位から切断したときには遊技機本体に締結部材を残して、この締結部材による締め付け方向と直交する方向に抜き取り可能な形状に形成されていることを特徴とする遊技機の基板ボックスの取付構造。
【請求項２】
上記底ケースの上辺には蓋ケースの上辺よりも側方に突出する突出部が形成されており、上記固定部及び脆弱部は、この突出部に設けられている請求項１記載の遊技機の基板ボックスの取付構造。
【請求項３】
上記固定部及び脆弱部は複数個ずつ設けられている請求項１又は２記載の遊技機の基板ボックスの取付構造。
【請求項４】
上記締結部材は、ドライバーにより締め付け方向にのみ回転可能なワンウエイビスからなり、上記固定部は、このワンウエイビスのネジ部が挿入しかつワンウエイビスの頭部が当接するＵ字状又は半割の円筒状に形成されている請求項１〜３のいずれか一つに記載の遊技機の基板ボックスの取付構造。
【請求項５】
上記基板ボックスは、その底ケースと蓋ケースとが分離不能に結合される構成になっている請求項１〜４のいずれか一つに記載の遊技機の基板ボックスの取付構造。
【発明の詳細な説明】
【０００１】
【発明の属する技術分野】
本発明は、スロットマシンやパチンコ機などの遊技機に装備される制御基板を収納する基板ボックスの取付構造に関する。
【０００２】
【従来の技術】
従来、遊技機に装備される制御基板は、その不正改造（例えば制御基板や実装電子部品であるＲＯＭの取り替えなど）を防止するために、底ケースと蓋ケースとからなる基板ボックス内に収納し、この基板ボックスの開放を禁止する種々の工夫を施している。例えば特開平９−２７６４８１号公報には、特殊なビスを用いたり、あるいは樹脂の熱溶接により基板ボックスの底ケースと蓋ケースとを分離不能に結合することが開示されている。この方法によれば、制御基板の不正改造をするためには結合部を破壊しなければならず、また不正改造が行われた場合には結合部及びその周辺に破壊の痕跡が明らかに残ることになるので、制御基板の不正改造を予防ないし防止できるという効果が得られる。
【０００３】
そして、制御基板を収納した基板ボックスは、通常、遊技機本体（具体的にはスロットマシンの場合筐体の内壁、パチンコ機の場合前枠の裏面など）に取付金具を介在してビス止めなどで取り外し可能に取り付けられており、制御基板の修理などのときには基板ボックスごと遊技機本体から取り外して修理メーカーなどに送ることができるようになっている。
【０００４】
【発明が解決しようとする課題】
ところが、基板ボックスを遊技機本体から容易に取り外すことができることから、制御基板の不正改造が行われ易くなり、またその不正改造が行われた場合の発見が容易でなく遅れるという問題があった。すなわち、基板ボックスを遊技機本体から取り外した後、例えばその取付面側から基板ボックスの底ケースと蓋ケースとの結合部を巧妙に破壊することで制御基板の不正改造が可能になり、またその破壊の痕跡は、基板ボックスを遊技機本体に取り付けた状態では発見し難いからである。
【０００５】
本発明はかかる点に鑑みてなされたものであり、その課題とするところは、基板ボックスを遊技機本体に取り付けるに当たり、修理時などのために取り外し可能としつつ、取り外したときにはその事が容易に分かるようにし、不正改造の防止化に寄与し得る遊技機の基板ボックスの取付構造を提供するものである。
【０００６】
【課題を解決するための手段】
上記の課題を解決するため、請求項１に係る発明は、遊技機本体に底ケースと蓋ケースとからなる基板ボックスが取り付けられ、この基板ボックス内に制御基板が収納された遊技機において、上記基板ボックスの底ケース及び蓋ケースの少なくとも一方に、基板ボックスを遊技機本体に分離不能に固定するための固定部と、この固定部を他の部位から切断し易くするための脆弱部とを設け、上記固定部を、締結部材により遊技機本体に固定するとともに、脆弱部で他の部位から切断したときには遊技機本体に締結部材を残して、この締結部材による締め付け方向と直交する方向に抜き取り可能な形状に形成する構成とする。この構成では、修理などのために遊技機本体に取り付けられた基板ボックスを取り外すときには、基板ボックスの脆弱部を切断して固定部を他の部位から切り離すことで基板ボックスの取り外しを行うことができる。また、第三者が制御基板の不正改造のために基板ボックスを遊技機本体から一旦取り外し、その後元に戻したときには、上記脆弱部での切断が痕跡として残り、不正改造を早期に発見することが可能になり、脆弱部の切断という手間がかかることと相俟って不正改造の防止化が図られる。その上、基板ボックスの脆弱部を切断して基板ボックスを遊技機本体から取り外したとき、締結部材と共に遊技機本体に残る固定部を締結部材から離脱させて容易に取り除くことができ、また固定部を取り除いた状態では締結部材の取り外しも容易に行うことができる。
【０００７】
請求項２に係る発明は、上記固定部及び脆弱部の配設箇所として、好ましい形態を提供する。すなわち、上記底ケースの上辺に蓋ケースの上辺よりも側方（つまり上方）に突出する突出部を形成し、この突出部に固定部及び脆弱部を設ける構成とする。この構成では、制御基板の検査時などには、基板ボックスをその底ケースの固定部で遊技機本体に取り付けた状態のままでも蓋ケースを開けることが可能であり、その作業を容易に行うことができる。また、第三者が制御基板の不正改造のために基板ボックスを遊技機本体から一旦取り外したときには、脆弱部での切断の痕跡が見え易い位置にあるため、不正改造の早期発見に寄与できることになる。
【０００８】
請求項３に係る発明は、上記固定部及び脆弱部を複数個ずつ設ける構成とする。この構成では、基板ボックスの固定部及び脆弱部を順次使用することにより、基板ボックスの取り付け及び取り外しを複数回繰り返して行うことができる。
【０００９】
請求項４に係る発明は、上記締結部材及び固定部の好ましい形態を提供する。すなわち、上記締結部材を、ドライバーにより締め付け方向にのみ回転可能なワンウエイビスにより構成する一方、上記固定部を、このワンウエイビスのネジ部が挿入しかつワンウエイビスの頭部が当接するＵ字状又は半割の円筒状に形成する構成にする。
【００１０】
請求項５に係る発明は、上記基板ボックスの底ケースと蓋ケースとを分離不能に結合する構成とする。この構成では、制御基板の修理時などに基板ボックスを封印した状態のまま遊技機本体から取り外すことが可能となり、ホールから修理メーカーまでの移送の間におけるセキュリティーを保つことができる。
【００１１】
【発明の実施の形態】
以下、本発明の実施の形態を図面に基づいて説明する。
図１及び図２は遊技機としてのスロットマシンを示し、１は筐体２の前方開口部に開閉可能に取り付けられた前扉であって、この前扉１の中央部にはリール表示窓３などの表示部及び始動レバー４や停止ボタン５などの操作部が設けられているとともに、前扉１の下部にはメダル払出口６、メダル受け皿７及びスピーカ８などが設けられている。
【００１２】
上記筐体２内には前扉１のリール表示窓３に対応してリール装置１１が配置されている。このリール装置１１は、各々独立回転する横並び３つの回転リール１２，１２，１２を有しており、これらの回転リール１２，１２，１２の外周面にはそれぞれ複数の図柄（図示せず）が施され、前扉１を閉じた状態で各回転リール１２毎３つずつ計９つの図柄が前扉１のリール表示窓３を通して外部に見えるようになっている。また、筐体２内には、リール装置１１の上側に遊技用制御基板（図示せず）を収納する箱状の基板ボックス１３が配置されているとともに、リール装置１１の下側にホッパ駆動装置１４及び配電盤１５などが配置されている。
【００１３】
そして、本発明は、その一実施形態として上記基板ボックス１３を筐体２の背面板２ａに取り付ける取付構造に適用したものであり、その取付構造の詳細は、図３ないし図１２に示している。
【００１４】
すなわち、図３ないし図５において、上記基板ボックス１３は、合成樹脂製の透明な底ケース２１と蓋ケース２２とからなるもので、取付金具２３を介在して筐体２の背面板２ａに取り付けられている。上記取付金具２３は、その底面部２３ａより突出した脚部２３ｃにて背面板２ａにビス止めにより固定されており、この取付金具２３の左右の側面部２３ｂ（図３では右側のみ示す）にはそれぞれ基板ボックス１３を係止するための上下２つの係止部２４，２５と施錠用の貫通孔２６とが設けられている。
【００１５】
上記底ケース２１は、図７にも示すように、略矩形状の底板２１ａの周辺部全周（つまり４辺の各縁部）に側壁２１ｂ，２１ｃ，２１ｄ，２１ｅを有してなり、底板２１ａの内面には、略矩形状の制御基板の周縁部を支持する矩形枠状の支持部３１と、この支持部３１の下辺側で制御基板を位置決めするための３つの位置決めピン部３２，３２，３２と、支持部３１の左右の側辺側でそれぞれ制御基板を挟んで底ケース２１と蓋ケース２２とをビス止めにより締結するための２つのビス止め部３３，３３とが形成されている。また、底ケース２１の左右の側壁２１ｄ，２１ｅには、それぞれ上記取付金具２３の係止部２４又は２５に係止可能な２つの突起部３４，３４と、蓋ケース２２を係止するための２つの係止孔３５，３５とが設けられている。
【００１６】
さらに、上記底ケース２１の上辺側の側壁２１ｂには、図１０に拡大詳示するように、その底ケース２１の側壁２１ｂ及び蓋ケース２２の側壁２２ｂより側方（つまり上方）に突出して位置する突出部３６が形成されており、この突出部３６は、底ケース２１の側壁２１ｂより横並びで所定間隔毎に突出する４つのチャンネル形状の支持部３７，３７，…と、この隣接する支持部３７，３７の先端同士を連結する３つの脆弱連結部３８，３８，３８と、この各脆弱連結部３８の中間部にそれぞれ形成された３つのビス止め固定部３９，３９，３９とを有している。
【００１７】
上記各ビス止め固定部３９は、平面的に見て脆弱連結部３８を一部としかつ一方の支持部３７に向かって開口するＵ字状のもので、その中心部に締結部材としてのビス４０（詳しくはそのネジ部）を挿入して取付金具２３のネジ孔４１（図１１参照）に螺合締結することで取付金具２３を介して筐体背面板２ａに固定されるようになっている。上記ビス４０は、図１２に拡大詳示するように頭部４０ａのスクリュードライバーと係合する係合溝４０ｂの形状に特徴を有するいわゆるワンウエイビスである。つまり、上記係合溝４０ｂの壁面のうち、スクリュードライバーによる締付け時にそのスクリュードライバーと当接する壁面４０ｃ，４０ｃは溝底面４０ｄと略直角に交差しているが、締付けを緩める時にスクリュードライバーと当接する壁面４０ｅ，４０ｅは溝底面４０ｄと斜めに傾斜している。また、ビス止め固定部３９が開口する側の支持部３７の側面には、このビス止め固定部３９でビス止めをしたビス４０が固定部３９より抜け出るのを防止するための突起部４２が形成されている。従って、上記ビス４０によりビス止め固定部３９ひいては基板ボックス１３を筐体背面板２ａに一旦固定すると脆弱連結部３８のビス止め固定部３９を挟む２箇所を切断しない限り基板ボックス１３は分離不能になる。また、脆弱連結部３８を切断して基板ボックス１３を筐体背面板２ａから取り外したとき筐体背面板２ａ側の取付金具２３上に残るビス止め固定部３９は、図１１に示すように、その開口側と反対側に移動させることでビス４０により固定された状態から離脱できるようになっている。
【００１８】
一方、上記蓋ケース２２は、図６にも示すように、略矩形状の上面板２２ａの周辺部略全周に側壁２２ｂ，２２ｃ，２２ｄ，２２ｅを有し、その側壁２２ｂ〜２２ｅを上記底ケース２１の側壁２１ｂ〜２１ｅ内側に嵌め込んで底ケース２１と重ね合わせて閉じられる。この蓋ケース２２の左右の側壁２２ｄ，２２ｅには、それぞれ蓋ケース２２と底ケース２１とを重ね合わせたとき底ケース２１の各係止孔３５に係止される二つの係合部５１，５１と、取付金具２３の貫通孔２６に対応した貫通孔５２とが形成されている。
【００１９】
上記上面板２２ａの上辺部には他の部位よりも一段低い低段部５３が形成され、この低段部５３には制御基板に接続するためのコネクタ（図示せず）用の複数の長孔５４，５４，…が設けられている。また、上面板２２ａの左右の側辺部には、それぞれ蓋ケース２２と底ケース２１とを重ね合わせた状態でその両者２１，２２を分離可能に締結する１つの締結部５５と、両者２１，２２を分離不能に結合する４つの結合部５６，５６，…とが形成されている。
【００２０】
上記締結部５５は、底ケース２１のビス止め部３３に対応した位置に設けられた段付き貫通孔からなり、この締結部５５内に通常のビス５７を挿入して底ケース２１のビス止め部３３にねじ込むことで蓋ケース２２と底ケース２１とが締結され、またその締結状態はビス５７を取り外すことで容易に解除される。
【００２１】
上記各結合部５６は、図８及び図９に詳示するように、封止ピン６１を収納する段付き貫通孔６２を有する円筒部６３と、この円筒部６３を蓋ケース２２の他の部分に各々連結する３つの脆弱連結部６４ａ，６４ｂ，６４ｃとからなる。底ケース２１には上記円筒部６３の貫通孔６２に対向して挿入孔６６と係合片６７とが設けられている。そして、蓋ケース２２と底ケース２１とを重ね合わせた状態において、円筒部６３の貫通孔６２の上面側に面する封止ピン６１の頭部６１ａを貫通孔６２の底側に押し込むと封止ピン６１の軸部先端側の環状溝６１ｂが上記係合片６７の孔（図示せず）に係合し、これにより蓋ケース２２と底ケース２１とが分離不能に結合される。
【００２２】
尚、蓋ケース２２の上面板２２ａには、図４に示すように各側辺部の４つの結合部５６，５６，…のうち結合順序を示す「１」から「４」までの連続番号が刻印又は印刷などで表示されている。また、図３中、７１は取付金具２３の貫通孔２６と基板ボックス１３の蓋ケース２２の貫通孔５２とを通して施錠された南京錠である。
【００２３】
次に、上記基板ボックス１３の使い方について説明するに、最初に基板ボックス１３を筐体２の背面板２ａに取り付ける場合には、予め基板ボックス１３の底ケース２１の支持部３１上に制御基板を置き、それを覆うように蓋ケース２２を底ケース２１に重ね合わせて閉じる。そして、この蓋ケース２２と底ケース２１とを２箇所の締結部５５，５５でそれぞれ通常のビス５７を用いて締結するとともに、連続番号が「１」の２箇所の結合部５６，５６において、それぞれその円筒部６３の貫通孔６２内に予め収納されている封止ピン６１の頭部６１ａを貫通孔６２の底側に押し込んでその環状溝６１ｂを底ケース２１側の係合片６７に係合させることにより蓋ケース２２と底ケース２１とを分離不能に結合する。
【００２４】
続いて、上記底ケース２１の左右側壁２１ｄ，２１ｅの各突起部３４を筐体背面板２ａ側の取付金具２３の対応する係止部２４又は２５にそれぞれ係合させて基板ボックス１３を筐体背面板２ａに取付金具２３を介在して仮止め状態に取り付ける。しかる後、底ケース２１の突出部３６の１つ、例えば右側のビス止め固定部３９を、特殊形状のいわゆるワンウエイビス４０を用いて取付金具２３に分離不能に固定する。また、取付金具２３の貫通孔２６と蓋ケース２２の貫通孔５２とに南京錠７１を通して施錠する。以上によって、基板ボックス１３の取り付けが終了する。
【００２５】
一方、この取り付け後に制御基板の修理などのために基板ボックス１３を取り外すときには、南京錠７１を開錠するとともに、上記右側のビス止め固定部３９に対応した右側の脆弱連結部３８を、ビス止め固定部３９を挟む２箇所でニッパ等の切断工具を用いて切断して右側のビス止め固定部３９を他の部位から切り離すことにより、基板ボックス１３を取り外すことができる。
【００２６】
このように、基板ボックス１３を取り外すには脆弱連結部３８を切断する必要があり、また脆弱連結部３８での切断が痕跡として残ることから、第三者が制御基板の不正改造のために基板ボックス１３を一旦取り外し、その後元に戻したときでもその事実を早期に発見することができるので、不正改造の予防ないし防止化を図ることができる。
【００２７】
特に、上記ビス止め固定部３９及び脆弱連結部３８は、底ケース２１の上辺に蓋ケース２２の上辺よりも上方に突出する突出部３６に形成されているため、脆弱連結部３８での切断の痕跡が見え易く、不正改造の早期発見に確実に寄与することができる。しかも、このビス止め固定部３９及び脆弱連結部３８は、突出部３６に３個ずつ形成されているため、基板ボックス１３の分離不能状態での取り付け及びその取り外しを３回繰り返して行うことができ、基板ボックス１３の使用期間を長くすることができる。
【００２８】
その上、上記脆弱連結部３８を切断して基板ボックス１３を筐体背面板２ａから取り外したとき、筐体背面板２ａ側の取付金具２３上にビス止め固定部３９がワンウエイビス４０と共に残るが、このビス止め固定部３９は、その開口側と反対側に移動させることでワンウエイビス４０により固定された状態から容易に離脱して取り除くことができ、またビス止め固定部３９を取り除いた状態ではワンウエイビス４０の取り外しも容易に行うことができる。この結果、筐体背面板２ａに取付金具２３を介在して新品の基板ボックス１３を取り付けるための作業の容易・迅速化を図ることができる。
【００２９】
加えて、筐体背面板２ａから取り外された基板ボックス１３は、その底ケース２１と蓋ケース２２とが２箇所の結合部５６，５６で分離不能に結合して封印されており、この封印状態のままホールから修理メーカーに移送することにより移送途中でのセキュリティーを確保することができる。
【００３０】
また、上記基板ボックス１３の取り付け後に制御基板の検査などのために基板ボックス１３を取り付け状態のままその蓋ケース２２を開けるときには、南京錠７１を開錠するとともに、蓋ケース２２と底ケース２１との２箇所のビス止め箇所である締結部５５，５５でそれぞれビス５７を緩めて締結を解除する。続いて、連続番号が「１」の２箇所の結合部５６，５６に対し、それぞれその周囲の３つの脆弱連結部６４ａ，６４ｂ，６４ｃをニッパ等の切断工具を用いて切断して蓋ケース２２の他の部位との切り離しを行う。これにより、蓋ケース２２を開けて制御基板の検査などを行うことができる。尚、この検査などの後に蓋ケース２２を閉じるときには連続番号が「２」の２箇所の結合部５６，５６を用いて蓋ケース２２と底ケース２１とを分離不能に結合すればよい。また、このような蓋ケース２２の開閉は３回繰り返して行うことができる。
【００３１】
尚、本発明は上記実施形態に限定されるものではなく、その他種々の形態を包含するものである。例えば、上記実施形態では、基板ボックス１３を筐体背面板２ａに取付金具２３を介在して取り付けるに当たり、基板ボックス１３のビス止め固定部３９をワンウエイビス４０を用いて分離不能に固定したが、この分離不能に固定する構造としては、ワンウエイビスの代わりにリベット又は熱溶着などを用いてもよい。
【００３２】
また、上記実施形態では、ビス止め固定部３９を、平面的に見て脆弱連結部３８を一部としかつ一方の支持部３７に向かって開口するＵ字状に形成することにより、脆弱連結部３８で他の部位から切断したときには筐体背面板２ａ側の取付金具２３上に締結部材としてのワンウエイビス４０を残して、このワンウエイビス４０による締め付け方向と直交する方向に抜き取り可能とするようにしたが、これ以外の形状でもって抜き取り可能としてもよい。例えば図１３に示すように、ビス止め固定部８１を、ビス（詳しくはそのネジ部）が挿入可能な段付き孔８２を有する円筒状に形成するとともに、２つの部分８１ａ，８１ａに分離可能な半割り構造とし、その両半割り部分８１ａ，８１ａをそれぞれ脆弱連結部８３，８３を介して別々の支持部８４，８４に連結する。
【００３３】
さらに、上記実施形態では、スロットマシンの筐体２の背面板２ａに基板ボックス１３を取り付ける場合について述べたが、本発明は、同じくスロットマシンの筐体２の側板などに基板ボックス１３を取り付ける場合、あるいはパチンコ機の前枠裏面に基板ボックスを取り付ける場合などにも同様に適用することができるのは勿論である。
【００３４】
【発明の効果】
以上のように、本発明における遊技機の基板ボックスの取付構造によれば、基板ボックスを遊技機本体から一旦取り外したときにはその痕跡が残るようになっているため、修理などのための基板ボックスの取り外しを可能としながら、第三者が制御基板の不正改造のために基板ボックスを取り外したことを容易にかつ早期に発見することができ、取り外しのための手間がかかることと相俟って不正改造の防止化を有効に図ることができる。その上、基板ボックスを遊技機本体から取り外したときその痕跡として締結部材と共に遊技機本体に残る固定部を締結部材から離脱させて容易に取り除くことができ、また固定部を取り除いた状態では締結部材の取り外しも容易に行うことができるので、新品の基板ボックスとの取替の作業性を高めることができるという効果を併有する
【００３５】
特に、請求項２に係る発明では、制御基板の検査時などに基板ボックスを取り付け状態のままでその蓋ケースを開けることができるので、作業性の向上を図ることができる。しかも、基板ボックスを一旦取り外したときの痕跡が見え易い位置にあるため、不正改造の早期発見に一層寄与することができる。
【００３６】
請求項３に係る発明では、基板ボックスの取り付け及び取り外しを複数回繰り返して行うことができるので、基板ボックスの使用期間を長くすることができるという効果をも有する。
【００３７】
【００３８】
さらに、請求項５に係る発明では、制御基板の修理時などに基板ボックスを封印した状態のまま遊技機本体から取り外すことができるので、ホールから修理メーカーまでの移送の間におけるセキュリティーの確保をも図ることができる。
【図面の簡単な説明】
【図１】  本発明の実施形態に係る基板ボックスの取付構造を備えるスロットマシンの正面図である。
【図２】  上記スロットマシンの前扉を取り外した状態の内部構造を示す図である。
【図３】  図２のＸ−Ｘ線における拡大断面図である。
【図４】  基板ボックスの正面図である。
【図５】  基板ボックスの分解斜視図である。
【図６】  基板ボックスの蓋ケースの正面図及び右側面図である。
【図７】  基板ボックスの底ケースの正面図及び右側面図である。
【図８】  図４のＹ部分の拡大図である。
【図９】  図８のＺ−Ｚ線における拡大断面図である。
【図１０】  図４の突出部付近の拡大図である。
【図１１】  取付金具上からワンウエイビスを残してビス止め固定部を取り除く状態を説明するための図である。
【図１２】  ワンウエイビスの正面図及び右側面図である。
【図１３】  ビス止め固定部の別の形態を示す図である。
【符号の説明】
２    筐体
２ａ  背面板
１３    基板ボックス
２１    底ケース
２２    蓋ケース
２３    取付金具
３６    突出部
３８，８３    脆弱連結部
３９，８１    ビス止め固定部
４０    ワンウエイビス（締結部材）
４０ａ  頭部
５６    結合部
【図１】
0003868665.tif 000002
【図２】
0003868665.tif 000003
【図３】
0003868665.tif 000004
【図４】
0003868665.tif 000005
【図５】
0003868665.tif 000006
【図６】
0003868665.tif 000007
【図７】
0003868665.tif 000008
【図８】
0003868665.tif 000009
【図９】
0003868665.tif 000010
【図１０】
0003868665.tif 000011
【図１１】
0003868665.tif 000012
【図１２】
0003868665.tif 000013
【図１３】
0003868665.tif 000014